(57)【特許請求の範囲】
【請求項１】
建物内に区画された各エリアの扉に備えられる電気錠及び認証情報入力装置と、
入退室管理システムに記憶された認証情報と前記認証情報入力装置に入力された認証情報とを照合し、双方の前記認証情報が一致した場合には前記電気錠を解錠し、双方の前記認証情報が不一致である場合には前記電気錠を施錠状態のまま保持する電気錠制御装置とを備えた入退室管理システムにおいて、
前記各エリアについての入退室情報を蓄積する利用実態情報データベースと、前記利用実態情報データベースに蓄積された前記入退室情報に基づいて、前記各エリアについての予め設定された一定時間当たりの入退室数を算出し、算出された一定時間当たりの入退室数を表示装置にグラフ表示する制御装置と、
前記入退室管理システムに記憶された認証情報の変更及び設定を行う認証情報設定装置とを更に備え、
前記認証情報設定装置は、前記入退室管理システムに記憶された認証情報中に含まれるセキュリティモードを変更し、変更されたセキュリティモードを参照して前記電気錠を解錠状態又は施錠状態に切り換えることを特徴とする入退室管理システム。
【請求項２】
請求項１に記載の入退室管理システムにおいて、
前記認証情報設定装置は、入力装置を備え、当該入力装置を操作することにより曜日と時間を指定して、前記認証情報中に含まれるセキュリティモードを変更することを特徴とする入退室管理システム。
【請求項３】
請求項１及び請求項２のいずれか１項に記載の入退室管理システムにおいて、
前記認証情報設定装置は、入力装置を備え、当該入力装置を操作することにより複数の認証情報中に含まれる複数のセキュリティモードを一括して変更することを特徴とする入退室管理システム。
【発明の詳細な説明】
【技術分野】
【０００１】
本発明は、集合住宅、オフィスビル、工場、研究所等に設置される入退室管理システムに関する。
【背景技術】
【０００２】
集合住宅等のセキュリティを重視する建物には、予め入室が許可された特定エリア以外への入室を禁止する入退室管理システムが備えられている。例えば集合住宅に設置される入退室管理システムを例にとって説明すると、集合住宅内の一区画に居住する居住者は、集合住宅に設けられたエントランス等の共有スペース及び本人が居住する一区画（特定エリア）に入室する通行権限を有するが、他の居住者が居住する区画及び居住者の立ち入りが禁止される設備施設等（特定エリア以外）への入室は禁止される。
【０００３】
従来、この種の入退室管理システムとしては、建物内に設けられた各エリアの扉に電気錠及び認証情報入力装置を備え、入室に際しては利用者に認証情報入力装置への認証情報の入力を求め、電気錠制御装置が電気錠に登録された認証情報と認証情報入力装置に入力された認証情報とを照合するものが知られている（例えば、特許文献１参照。）。双方の認証情報が一致した場合には、電気錠制御装置が電気錠を解錠して、当該電気錠を備えたエリア内への入室を許可し、双方の認証情報が不一致である場合には、電気錠制御装置が電気錠を施錠状態のまま保持して、当該電気錠を備えたエリア内への入室を禁止する。また、特許文献１には、認証情報に通行可能スケジュールが割り当てられた通行権限を含む技術が記載されている。
【０００４】
従来の入退室管理システムは、このように構成されているので、特定エリア内への通行権限を有する者であっても、通行権限を有しない他のエリア内への入室が禁止され、高いセキュリティを発揮できる。また、従来の入退室管理システムは、認証情報に通行可能スケジュールが割り当てられた通行権限を含むので、１日のうちの時間単位で建物内の各エリアに対する通行可能及び通行不可を管理することができる。
【先行技術文献】
【特許文献】
【０００５】
【特許文献１】特開２０１３−１７１４８８号公報
【発明の概要】
【発明が解決しようとする課題】
【０００６】
しかしながら、従来の入退室管理システムは、認証情報に割り当てられた通行可能スケジュールにしたがって各エリアへの通行可能及び通行不能を管理するというものであり、２４時間通行可能に設定されたエリアについても、電気錠に登録された認証情報と認証情報入力装置に入力された認証情報との照合が求められる。従って、従来の入退室管理システムによっては、特定エリアへの通行権限を有する者であっても、認証情報入力装置に認証情報を入力することなく、当該特定エリアに入室することはできない。
【０００７】
このため、従来の入退室管理システムは、高いセキュリティを利用者に提供できるが、その反面、通行権限を有する特定エリアへの入室に際しても、必ず認証情報入力装置への認証情報の入力が求められるので、同一人が短時間のうちに特定エリアへの入退室を繰り返す場合には、利用者に煩わしさを感じさせる。
【０００８】
例えば、集合住宅の居住者を例にとって説明すると、通勤、通学のために昼間居住者が居室を留守にすることが多い平日に関しては、高いセキュリティを確保することが望ましい。これに対して、居住者が在宅しているために、入退室の頻度が高くなる休日に関しては、いちいち認証情報入力装置に認証情報を入力しなくても居室内に入室できるようにした方が居住を便利にできる。また、集合住宅の居住者が祭りなどのイベントを開催する場合には、イベントに参加する全ての居住者について、認証情報入力装置に認証情報を入力しなくても居室内に入室できるようにした方が、イベントを円滑に実施できる。
【０００９】
従来の入退室管理システムは、特定エリア内への入室に際して常に認証情報入力装置への認証情報の入力が求められるので、ある程度セキュリティを犠牲にしても通行権限を有する特定エリアへの通行を便利にしたい、という利用者の要請に柔軟に対応することができない。また、従来の入退室管理システムは、個人毎に認証情報を作成して、これを設定する構成であるので、複数の利用者の認証情報を一括して変更することができず、認証情報の変更に煩雑な作業が必要になる。従来の入退室管理システムは、これらの点に改善の余地がある。
【００１０】
本発明は、このような従来技術の課題を解決するためになされたものであり、入退室管理システムの利用実態に基づいて、利用者の認証情報を柔軟かつ容易に変更可能な入退室管理システムを提供することを目的とするものである。
【課題を解決するための手段】
【００１１】
上記の課題を解決するために、本発明は、建物内に区画された各エリアの扉に備えられる電気錠及び認証情報入力装置と、入退室管理システムに記憶された認証情報と前記認証情報入力装置に入力された認証情報とを照合し、双方の前記認証情報が一致した場合には前記電気錠を解錠し、双方の前記認証情報が不一致である場合には前記電気錠を施錠状態のまま保持する電気錠制御装置とを備えた入退室管理システムにおいて、前記各エリアについての入退室情報を蓄積する利用実態情報データベースと、前記利用実態情報データベースに蓄積された前記入退室情報に基づいて、前記各エリアについての予め設定された一定時間当たりの入退室数を算出し、算出された一定時間当たりの入退室数を表示装置にグラフ表示する制御装置と、前記入退室管理システムに記憶された認証情報の変更及び設定を行う認証情報設定装置とを更に備え、前記認証情報設定装置は、前記入退室管理システムに記憶された認証情報中に含まれるセキュリティモードを変更して、前記電気錠を解錠状態又は施錠状態に切り換えることを特徴とする。
【発明の効果】
【００１２】
本発明によると、利用実態情報データベースに蓄積された入退室情報から算出される一定時間当たりの入退室数を表示装置にグラフ表示するので、システムの利用者は、自己の入退室の実態を目視で確認でき、認証情報を変更するか否かの判断を行いやすい。そして、システムの利用者が、認証情報を変更すると判断した場合には、システムの利用者が保有する認証情報中に含まれるセキュリティモードを変更して、電気錠を解錠状態又は施錠状態に切り換えるので、必要に応じて高いセキュリティの確保と入退室の利便性の向上との両立を図ることができる。上記した以外の課題、構成及び効果は、以下に記載する実施形態の説明により明らかにされる。
【図面の簡単な説明】
【００１３】
【図１】実施形態に係る入退室管理システムの構成を示す機能ブロック図である。
【図２】実施形態に係る入退室管理システムに用いられる認証情報のフォーマット構成を示す図である。
【図３】実施形態に係る入退室管理システムが実行するセキュリティモードの設定手順を示すフローチャートである。
【図４】実施形態に係る入退室管理システムの利用実態を例示するグラフ図である。
【図５】実施形態に係る入退室管理システムの効果を示すグラフ図である。
【発明を実施するための形態】
【００１４】
以下、本発明に係る入退室管理システムの実施形態を、集合住宅に設置される入退室管理システムを例にとり、図面を参照しながら説明する。
【００１５】
実施形態に係る入退室管理システムは、図１に示すように、集合住宅１の５階が３つの居室２ａ、２ｂ、２ｃに区画され、当該集合住宅１の４階が３つの居室２ｄ、２ｅ、２ｆに区画されている。各居室２ａ〜２ｆの扉には、それぞれ電気錠３ａ〜３ｆと、カードリーダ（Ｃ／Ｒ）等の認証情報入力装置４ａ〜４ｆが備えられている。なお、図示は省略するが、エントランス等の共有エリアに設けられる入退館用の扉にも、電気錠及び認証情報入力装置を備えることができる。
【００１６】
また、５階の共有エリア、例えば通路には、各居室２ａ〜２ｃの扉に備えられた電気錠３ａ〜３ｃの施錠と解錠を制御する電気錠制御装置５ａが備えられている。同様に、４階の共有エリア、例えば通路には、各居室２ｄ〜２ｆの扉に備えられた電気錠３ｄ〜３ｆの施錠と解錠を制御する電気錠制御装置５ａが備えられている。
【００１７】
電気錠３ａ〜３ｆには、電気錠毎に固有の認証情報が記憶されている。また、認証情報入力装置４ａ〜４ｆとしてカードリーダが備えられる場合、各居室２ａ〜２ｆの居住者には、自己が居住する居室の扉に備えられた電気錠に記憶された認証情報と同一の認証情報が記憶されたＩＣカード等の鍵カードが発行される。
【００１８】
図２に示すように、実施形態に係る入退室管理システムが取り扱う認証情報２０は、カード番号２１、通行権限２２及び氏名２３を含む個人識別情報２４と、履歴情報２５と、セキュリティモード選択情報２６とを含んで構成される。認証情報２０は、図１に示す認証情報データベース１２に記憶されている。
【００１９】
カード番号２１は、各鍵カードに固有の番号で、例えば鍵カードの発行順の通し番号とすることもできる。
【００２０】
通行権限２２は、鍵カードを保有する居住者がエントランス及び各階の通路を通過して自室内に入室することを可能にする各居住者に固有の権限であって、電気錠に記憶された認証情報と鍵カードに記憶された認証情報とが一致した場合に、当該電気錠が備えられた居室内への入室を可能にする。鍵カードを保有する居住者であっても、自室以外の居室や居住者の立ち入りが禁止されている電気、ガス、水道等の設備施設等については、電気錠に記憶された認証情報と鍵カードに記憶された認証情報とが不一致となるので、入室が禁止される。
【００２１】
氏名２３は、鍵カードを保有する居住者の氏名である。
【００２２】
履歴情報２５には、集合住宅１の居住者が鍵カードを操作した履歴や警報の発生履歴等が記録される。
【００２３】
セキュリティモード選択情報２６は、鍵カードを保有する居住者が選択したセキュリティモードの種別に関する情報である。実施形態に係る入退室管理システムでは、セキュリティモードとして、認証情報入力装置４ａ〜４ｆに暗証番号を入力しないと電気錠３ａ〜３ｆの解錠ができない高セキュリティモードと、認証情報入力装置４ａ〜４ｆに暗証番号を入力しなくても電気錠３ａ〜３ｆが解錠状態のままとなるフリーセキュリティモードとが用意されている。
【００２４】
図１に戻って、入退室管理装置６は、各居室２ａ〜２ｆの扉に備えられた電気錠３ａ〜３ｆの施錠及び解錠を管理するもので、例えば集合住宅１の管理人室等に設置される。実施形態に係る入退室管理装置６は、図１に示すように、入出力装置７と、制御装置８と、利用実態情報データベース９と、表示装置１０と、認証情報設定装置１１と、認証情報データベース１２とを含んで構成されている。認証情報設定装置１１には、入力装置１１ａが備えられる。
【００２５】
利用実態情報データベース９には、各居室２ａ〜２ｆについての入退室情報が蓄積される。また、認証情報データベース１２には、鍵カードに記憶されたカード番号等の認証情報に関連つけられた認証情報が蓄積される。また、認証情報データベース１２に記憶された各室の認証情報２０のコピーは、電気錠制御装置５ａ、５ｂに保持され、電気錠制御装置５ａ、５ｂは、認証情報２０のコピーと認証情報入力装置４ａ〜４ｆで読み取った認証情報とを比較して電気錠３ａ〜３ｆの施錠と解錠を制御する。
【００２６】
制御装置８は、入出力装置７を介して各階の電気錠制御装置５ａ、５ｂと接続されており、電気錠制御装置５ａ、５ｂから送信される各居室２ａ〜２ｆについての入退室情報を順次利用実態情報データベース９に記憶する。また、制御装置８は、利用実態情報データベース９に蓄積された入退室情報に基づいて、各居室２ａ〜２ｆについての予め設定された一定時間当たりの入退室数を算出する。更に、制御装置８は、表示装置１０の駆動を制御して、制御装置８にて算出された一定時間当たりの入退室数を表示装置１０にグラフ表示する。
【００２７】
認証情報設定装置１１は、入退室管理システムの管理者が入力装置１１ａを操作することによって、認証情報２０のセキュリティモード選択情報２６を高セキュリティモード又はフリーセキュリティモードに変更する。セキュリティモード選択情報２６を高セキュリティモードに設定すると、認証情報入力装置４ａ〜４ｆに暗証番号を入力しないと電気錠３ａ〜３ｆの解錠ができなくなる。また、セキュリティモード選択情報２６をフリーセキュリティモードに設定すると、認証情報入力装置４ａ〜４ｆに暗証番号を入力しなくても電気錠３ａ〜３ｆが解錠状態のままとなる。
【００２８】
従って、セキュリティモード選択情報２６を高セキュリティモードに設定することによって高いセキュリティを確保できると共に、セキュリティモード選択情報２６をフリーセキュリティモードに設定することによって入退室の利便性を高めることができる。
【００２９】
次に、図３に基づいて、実施形態に係る入退室管理システムが実行するセキュリティモードの設定手順を説明する。このセキュリティモードの設定手順は、制御装置８に予め記憶されたセキュリティモード設定プログラムにしたがって実行される。
【００３０】
入退室管理システムの稼働を開始すると（ステップＳ１）、制御装置８は、電気錠制御装置５ａ、５ｂにより電気錠３ａ〜３ｆの施錠及び解錠が行われる毎に、入出力装置７を介して、電気錠制御装置５ａ、５ｂから電気錠３ａ〜３ｆの施錠情報及び解錠情報を含む入退室情報を取り込み、それらの情報を時刻情報と共に時系列的に利用実態情報データベース９に記憶する（ステップＳ２）。また、制御装置８は、各居室２ａ〜２ｆについての予め設定された一定時間当たりの電気錠３ａ〜３ｆの利用件数（入退室数）を算出して集計した後（ステップＳ３）、表示装置１０にその集計結果をグラフ表示する（ステップＳ４）。
【００３１】
図４に、表示装置１０にグラフ表示される電気錠３ａ〜３ｆの利用件数データの一例を示す。図４のデータは、ある居室における１週間の電気錠の利用件数データを、４週間に亘って集計したものである。この図から明らかなように、この居室においては、どの週も土曜日の午前中における電気錠の利用件数が、他の時間帯における電気錠の利用件数に比べて顕著に高くなっている。このことから、この居室については、土曜日の午前中における電気錠のセキュリティモードをフリーセキュリティモードに設定した方が、居室内への入室を便利にできることが判る。
【００３２】
このような場合、システムの管理者は、当該居室の居住者に対して、表示装置１０にグラフ表示された利用件数データを示して、土曜日の午前中における電気錠のセキュリティモードをフリーセキュリティモードに変更することを提案する。また、居住者からの申し出があった場合には、管理者が居住者に表示装置１０にグラフ表示された利用件数データを示して、当該居室における電気錠の利用状況を説明することもできる。
【００３３】
図３に戻って、利用件数データを確認した居住者から、電気錠のセキュリティモードをフリーセキュリティモードに変更する許可を得た場合（ステップＳ５でＹｅｓ）、システムの管理者は、認証情報設定装置１１に備えられた入力装置１１ａを操作して、電気錠のセキュリティモードを高セキュリティモードからフリーセキュリティモードに変更し、これを図２に示す認証情報２０として設定する。設定後の認証情報２０は、図１に示す利用実態情報データベース９に格納される。
【００３４】
図５に、利用実態情報データベース９に格納されるセキュリティモードの変更前後の設定状況を示す。図５（ａ）は変更前のセキュリティモードの設定状況を示し、図５（ｂ）は変更後のセキュリティモードの設定状況を示す。この図から明らかなように、変更前においては、日曜日から土曜日までの全時間帯について、セキュリティモードが高セキュリティモードになっているのに対して、変更後は、土曜日の午前中のみがフリーセキュリティモードとなり、土曜日の午後及び土曜日以外の週日が高セキュリティモードのままになっている。
【００３５】
このように、実施形態の入退室管理システムは、高セキュリティモードからフリーセキュリティモードへの変更を行うことができるので、ある程度セキュリティを犠牲にしても自室内への入室を便利にしたいという利用者の要請に柔軟に対応することができる。
【００３６】
システムの管理者が複数の居住者に対してセキュリティモードの変更を提案した場合、或いは、複数の居住者からシステムの管理者にセキュリティモード変更の申し出があった場合は、例えば集合住宅１の居住者で作る組合の総会で許可を得た後（図３のステップＳ５）、システムの管理者が入力装置１１ａを操作して許可を得た複数の居住者についてのセキュリティモードを、一括して高セキュリティモードからフリーセキュリティモードに変更する。
【００３７】
これにより、集合住宅１の居住者によるイベントの開催を円滑化できる。また、複数の居住者についてのセキュリティモードの変更を一括して行うことができるので、システムの管理者によるセキュリティモードの変更作業を容易化できる。
【００３８】
なお、前記実施形態は、本発明の実施の一例を示したものであり、本発明の内容がこれに限定されるものではない。即ち、本発明は、その要旨を逸脱しない範囲でさまざまに変形して実施することができる。
【００３９】
例えば、前記実施形態においては、セキュリティモードを高セキュリティモードからフリーセキュリティモードに変更する場合を例にとって説明したが、本発明の要旨はこれに限定されるものではなく、セキュリティモードをフリーセキュリティモードから高セキュリティモードに変更する場合にも対応できる。
【００４０】
また、前記実施形態においては、集合住宅に設置される入退室管理システムを例にとって説明したが、本発明の要旨はこれに限定されるものではなく、オフィスビル、工場、研究所等の他の施設に設置される入退室管理システムにも応用できる。
【００４１】
更に、前記実施形態においては、認証情報入力装置４ａ〜４ｆとしてカードリーダを備える場合を例にとって説明したが、本発明の要旨はこれに限定されるものではなく、プッシュスイッチ方式、顔認証方式、指紋認証方式等の他の方式の認証情報入力装置を備えることもできる。
【符号の説明】
【００４２】
１    集合住宅
２ａ〜２ｆ    居室
３ａ〜３ｆ    電気錠
４ａ〜４ｆ    カードリーダ（認証情報入力装置）
５ａ、５ｂ    電気錠制御装置
６    入退室管理装置
７    入出力装置
８    制御装置
９    利用実態情報データベース
１０    表示装置
１１    認証情報設定装置
１１ａ    入力装置
２０    認証情報
２１    カード番号
２２    通行権限
２３    氏名
２４    個人識別情報
２５    履歴情報
２５    履歴情報
２６    セキュリティモード選択情報
【図１】
0006534963.tif 000002
【図２】
0006534963.tif 000003
【図３】
0006534963.tif 000004
【図４】
0006534963.tif 000005
【図５】
0006534963.tif 000006